(57)【特許請求の範囲】
【請求項１】
通信システムのための方法であって、
前記通信システムにおける基地局から複数の移動局の各移動局へのディジタルデータの固定された所定の出力レベルの送信ごとに符号化レートを選択すること、
前記基地局から前記複数の移動局のそれぞれへの前記固定された所定の出力レベルの送信ごとにデータ量を選択すること、
前記基地局から前記複数の移動局のそれぞれへの前記固定された所定の出力レベルの送信ごとに変調フォーマットを選択すること、
前記複数の移動局のそれぞれについて前記選択されたデータ符号化レートと前記選択された変調フォーマットに従って前記選択されたデータ量を符号化し、変調すること、
前記基地局から前記複数の移動局のそれぞれに、符号化され変調されたデータを、前記固定された所定の出力レベルの非重複送信バーストとして送信することであって、ここにおいて前記非重複送信バーストが事前定義された固定された持続期間の時間フレームにわたるものであり、ここにおいて前記基地局から前記複数の移動局のそれぞれへの前記固定された所定の出力レベルの送信ごとの、前記選択された符号化レート、前記選択された変調フォーマットおよび前記選択されたデータ量のうちの少なくとも１つが前記複数の移動局のそれぞれの実効リンク予算に基づくものであり、ここにおいて前記リンク予算が前記固定された所定の出力レベルでの送信セットを示すパラメータを含むこと、
を含む方法。
【請求項２】
前記複数の移動局のそれぞれの前記実効リンク予算は、前記基地局と前記複数の移動局のそれぞれとの間の実効送信パス損失で測定される実効距離に基づくものである、請求項１に記載の方法。
【請求項３】
通信システムのための装置であって、
前記通信システムにおける基地局から複数の移動局の各移動局へのディジタルデータの固定された所定の出力レベルの送信ごとに符号化レートを選択し、前記基地局から前記複数の移動局のそれぞれへの前記固定された所定の出力レベルの送信ごとにデータ量を選択し、前記基地局から前記複数の移動局のそれぞれへの前記固定された所定の出力レベルの送信ごとに変調フォーマットを選択するコントローラと、
前記基地局において、前記複数の移動局のそれぞれについて前記選択されたデータ符号化レートと前記選択された変調フォーマットに従って前記選択されたデータ量を符号化し、変調し、前記複数の移動局のそれぞれに、符号化され変調されたデータを、前記固定された所定の出力レベルの非重複送信バーストとして送信する送信機であって、ここにおいて前記非重複送信バーストが事前定義された固定された持続期間の時間フレームにわたるものであり、ここにおいて前記基地局から前記複数の移動局のそれぞれへの前記固定された所定の出力レベルの送信ごとの、前記選択された符号化レート、前記選択された変調フォーマットおよび前記選択されたデータ量のうちの少なくとも１つは前記複数の移動局のそれぞれの実効リンク予算に基づくものであり、ここにおいて前記リンク予算は前記固定された所定の出力レベルでの送信セットを示すパラメータを含む送信機と、
を備える装置。
【請求項４】
前記複数の移動局のそれぞれの前記実効リンク予算は、前記基地局と前記複数の移動局のそれぞれとの間の実効送信パス損失で測定される実効距離に基づくものである、請求項３に記載の装置。
【請求項５】
通信システムのための方法であって、
前記通信システムにおける複数の基地局の各基地局から複数の移動局の各移動局へのディジタルデータの一定出力レベルの送信ごとに符号化レートを選択すること、
前記複数の基地局の各基地局から固定された所定の出力レベルの送信ごとにデータ量を選択すること、
前記複数の基地局の各基地局から前記複数の移動局のそれぞれへの固定された所定の出力レベルの送信ごとに変調フォーマットを選択すること、
前記複数の移動局の各移動局について前記選択されたデータ符号化レートと前記選択された変調フォーマットに従って前記選択されたデータ量を符号化し、変調すること、
前記複数の基地局のそれぞれから前記複数の移動局の各移動局に、符号化され変調されたデータを、前記固定された所定の出力レベルの非重複送信バーストとして送信することであって、ここにおいて前記非重複送信バーストが事前定義された固定された持続期間の時間フレームにわたるものであり、ここにおいて前記基地局から前記複数の移動局のそれぞれへの前記固定された所定の出力レベルの送信ごとの、前記選択された符号化レート、前記選択された変調フォーマットおよび前記選択されたデータ量のうちの少なくとも１つは前記複数の移動局のそれぞれの実効リンク予算に基づくものであり、ここにおいて前記リンク予算は前記固定された所定の出力レベルでの送信セットを示すパラメータを含むこと、
を含む方法。
【請求項６】
前記複数の移動局のそれぞれの前記実効リンク予算は、前記基地局と前記複数の移動局のそれぞれとの間の実効送信パス損失で測定される実効距離に基づくものである、請求項５に記載の方法。
【請求項７】
通信システムのための装置であって、
前記通信システムにおける複数の基地局の各基地局から複数の移動局の各移動局へのディジタルデータの固定された所定の出力レベルの送信ごとに符号化レートを選択し、各基地局から前記複数の移動局のそれぞれへの前記ディジタルデータの固定された所定の出力レベルの送信ごとにデータ量を選択し、前記複数の基地局の各基地局から前記複数の移動局のそれぞれへの前記ディジタルデータの固定された所定の出力レベルの送信ごとに変調フォーマットを選択するコントローラと、
前記複数の移動局の各移動局について前記選択されたデータ符号化レートと前記選択された変調フォーマットに従って前記選択されたデータ量を符号化し、変調し、前記複数の基地局のそれぞれから前記複数の移動局の各移動局に、符号化され変調されたデータを、前記固定された所定の出力レベルの非重複送信バーストとして送信する送信機であって、ここにおいて前記非重複送信バーストが事前定義された固定された持続期間の時間フレームにわたるものであり、ここにおいて前記基地局から前記複数の移動局の各移動局への前記固定された所定の出力レベルの送信ごとの、前記選択された符号化レート、前記選択された変調フォーマットおよび前記選択されたデータ量のうちの少なくとも１つは前記複数の移動局のそれぞれの実効リンク予算に基づくものであり、ここにおいて前記リンク予算は前記固定された所定の出力レベルでの送信セットを示すパラメータを含む送信機と、
を備える装置。
【請求項８】
前記複数の移動局の各移動局の前記実効リンク予算は、前記基地局と前記複数の移動局のそれぞれとの間の実効送信パス損失で測定される実効距離に基づくものである、請求項７に記載の装置。
【請求項９】
通信システムのための方法であって、
複数の移動局のうちの１移動局において、基地局から、固定された所定の出力レベルの非重複送信バーストとして、選択された符号化レートで、選択されたデータ量について選択された変調フォーマットを用いてディジタルデータを搬送する信号を受信することであって、ここにおいて前記非重複送信バーストが事前定義された固定された持続期間の時間フレームにわたることであること、
前記選択された符号化レート、前記選択されたデータ量および前記選択された変調フォーマットに基づいて前記ディジタルデータを検索するために前記受信した信号を復号することであって、ここにおいて前記基地局からの前記複数の移動局のうちの前記１移動局における前記受信することでの、前記選択された符号化レート、前記選択されたデータ量および前記選択された変調フォーマットの少なくとも１つは、前記複数の移動局のそれぞれでの実効リンク予算に基づくものであり、ここにおいて前記リンク予算が前記固定された所定の出力レベルでの送信セットを示すパラメータを含むこと、
を含む方法。
【請求項１０】
前記複数の移動局のそれぞれの前記実効リンク予算は、前記基地局と前記複数の移動局のそれぞれとの間の実効送信パス損失で測定される実効距離に基づくものである、請求項９に記載の方法。
【請求項１１】
通信システムのための装置であって、
複数の移動局のうちの１移動局において、基地局から、固定された所定の出力レベルの非重複送信バーストとして、選択された符号化レートで、選択されたデータ量について選択された変調フォーマットを用いてディジタルデータを搬送する信号を受信する受信機であって、ここにおいて前記非重複送信バーストが事前定義された固定された持続期間の時間フレームにわたるものである受信機と、
前記選択された符号化レート、前記選択されたデータ量および前記選択された変調フォーマットに基づいて前記ディジタルデータを検索するために前記受信した信号を復号する復号器であって、ここにおいて前記基地局からの前記複数の移動局のうちの前記１移動局における前記受信することでの、前記選択された符号化レート、前記選択されたデータ量および前記選択された変調フォーマットの少なくとも１つは、前記複数の移動局のそれぞれの実効リンク予算に基づくものであり、ここにおいて前記リンク予算が前記固定された所定の出力レベルでの送信セットを示すパラメータを含む復号器と、
を備える装置。
【請求項１２】
前記複数の移動局のそれぞれの前記実効リンク予算は、前記基地局と前記複数の移動局のそれぞれとの間の実効送信パス損失で測定される実効距離に基づくものである、請求項１１に記載の装置。
【請求項１３】
通信システムのための方法であって、
前記通信システムにおける基地局から複数の移動局の各移動局へのディジタルデータの固定された所定の出力レベルの送信ごとに符号化レートを選択すること、
前記基地局から前記複数の移動局のそれぞれへの前記固定された所定の出力レベルの送信ごとにデータ量を選択すること、
前記基地局から前記複数の移動局のそれぞれへの前記固定された所定の出力レベルの送信ごとに変調フォーマットを選択すること、
前記複数の移動局のそれぞれについて前記選択されたデータ符号化レートと前記選択された変調フォーマットに従って前記選択されたデータ量を符号化し、変調すること、
前記基地局から前記複数の移動局のそれぞれに、符号化された変調されたデータを、前記固定された所定の出力レベルの非重複送信バーストとして送信することであって、ここにおいて前記非重複送信バーストは事前定義された固定された持続期間の時間フレームにわたるものであり、ここにおいて前記基地局から前記複数の移動局のそれぞれへの前記固定された所定の出力レベルの送信ごとの、前記選択された符号化レート、前記選択された変調フォーマットおよび前記選択されたデータ量のうちの少なくとも１つは前記複数の移動局のそれぞれの実効リンク予算に基づくものであり、ここにおいて前記リンク予算が前記固定された所定の出力レベルでの送信セットを示すパラメータを含むこと、
前記選択された符号化レート、前記選択されたデータ量および前記選択された変調フォーマットに基づいて前記ディジタルデータを検索するために前記送信を受信し、復号すること、
を含む方法。
【請求項１４】
前記複数の移動局のそれぞれの前記実効リンク予算は、前記基地局と前記複数の移動局のそれぞれとの間の実効送信パス損失で測定される実効距離に基づくものである、請求項１３に記載の方法。
【請求項１５】
通信システムのための装置であって、
前記通信システムにおける基地局から複数の移動局の各移動局へのディジタルデータの固定された所定の出力レベルの送信ごとに符号化レート、データ量および変調フォーマットを選択するコントローラと、
前記複数の移動局のそれぞれについて前記選択されたデータ符号化レートと前記選択された変調フォーマットに従って前記選択されたデータ量を符号化し、変調し、前記基地局から、前記複数の移動局のそれぞれに、符号化され変調されたデータを、前記固定された所定の出力レベルの非重複送信バーストとして送信する送信機であって、ここにおいて前記非重複送信バーストが事前定義された固定された持続期間の時間フレームにわたるものであり、ここにおいて前記基地局から前記複数の移動局のそれぞれへの前記固定された所定の出力レベルの送信ごとの、前記選択された符号化レート、前記選択された変調フォーマットおよび前記選択されたデータ量のうちの少なくとも１つが前記複数の移動局のそれぞれの実効リンク予算に基づくものであり、ここにおいて前記リンク予算が前記固定された所定の出力レベルでの送信セットを示すパラメータを含む送信機と
前記選択された符号化レート、前記選択されたデータ量および前記選択された変調フォーマットに基づいて前記ディジタルデータを検索するために前記送信を受信し、復号する受信機と、
を備える装置。
【請求項１６】
前記複数の移動局のそれぞれの前記実効リンク予算は、前記基地局と前記複数の移動局のそれぞれとの間の実効送信パス損失で測定される実効距離に基づくものである、請求項１５に記載の装置。
【請求項１７】
通信システムにおける基地局との通信のための移動局の装置であって、
前記基地局からのディジタルデータの固定された所定の出力レベルの送信のために符号化レート、データ量および変調フォーマットを選択するコントローラと、
前記選択された符号化レート、データ量および変調方式を前記基地局に通信するための送信機であって、前記固定された所定の出力レベルの送信が前記基地局からの非重複送信バーストを介したものであり、ここにおいて前記非重複送信バーストが事前定義された固定された持続期間の時間フレームにわたるものであり、ここにおいて前記固定された所定の出力レベルの送信ごとの、前記選択された符号化レート、前記選択された変調フォーマットおよび前記選択されたデータ量の少なくとも１つは前記移動局での実効リンク予算に基づくものであり、ここにおいて前記リンク予算は前記固定された所定の出力レベルでの送信セットを示すパラメータを含む送信機と、
を備える装置。
【請求項１８】
前記選択された符号化レート、前記選択されたデータ量および前記選択された変調フォーマットに基づいて前記ディジタルデータを検索するために前記基地局からの前記送信を受信し、復号する受信機をさらに含む、請求項１７に記載の装置。
【請求項１９】
前記移動局の前記実効リンク予算は、前記基地局と前記移動局の間の実効送信パス損失で測定される実効距離に基づくものである、請求項１７に記載の装置。
【請求項２０】
通信システムにおける移動局の基地局との通信のための方法であって、
前記基地局からのディジタルデータの固定された所定の出力レベルの送信のために符号化レート、データ量および変調フォーマットを選択すること、
前記選択された符号化レート、データ量および変調フォーマットを前記基地局に通信することであって、ここにおいて前記固定された所定の出力レベルの送信は前記基地局からの非重複送信バーストを介したものであり、ここにおいて前記非重複送信バーストは事前定義された固定された持続期間の時間フレームにわたるものであり、ここにおいて前記固定された所定の出力レベルの送信ごとの前記選択された符号化レート、前記選択された変調フォーマットおよび前記選択されたデータ量の少なくとも１つは前記移動局の実効リンク予算に基づくものであり、ここにおいて前記リンク予算は前記固定された所定の出力レベルでの送信セットを示すパラメータを含むこと、
を含む方法。
【請求項２１】
前記選択された符号化レート、前記選択されたデータ量および前記選択された変調フォーマットに基づいて前記ディジタルデータを検索するために前記基地局からの前記送信を受信し、復号することをさらに含む、請求項２０に記載の方法。
【請求項２２】
前記移動局の前記実効リンク予算は、前記基地局と前記移動局の間の実効送信パス損失で測定される実効距離に基づくものである、請求項２０に記載の方法。
【請求項２３】
通信システムにおける基地局の移動局との通信の方法であって、
前記基地局から前記移動局へのディジタルデータの固定された所定の出力レベルの送信のための選択された符号化レート、データ量および変調フォーマットに関連する情報を含む通信を前記移動局から受信すること、
前記移動局への送信のために前記選択された符号化レートと前記選択された変調フォーマットに従って前記選択されたデータ量を符号化し、変調することであって、ここにおいて前記固定された所定の出力レベルの送信が非重複送信バーストを介したものであり、ここにおいて前記非重複送信バーストが事前定義された固定された持続期間の時間フレームにわたるものであり、ここにおいて前記固定された所定の出力レベルの送信ごとの前記選択された符号化レート、前記選択された変調フォーマットおよび前記選択されたデータ量の少なくとも１つが前記移動局の実効リンク予算に基づくものであり、ここにおいて前記リンク予算が前記固定された所定の出力レベルでの送信セットを示すパラメータを含むこと、
を含む方法。
【請求項２４】
前記基地局から前記移動局に、符号化され変調されたデータを、前記事前定義された固定された持続期間の時間フレームにわたって前記固定された所定の出力レベルの非重複送信バーストとして送信することをさらに含む、請求項２３に記載の方法。
【請求項２５】
前記移動局のそれぞれの前記実効リンク予算は、前記基地局と前記移動局の間の実効送信パス損失で測定される実効距離に基づくものである、請求項２３に記載の方法。
【請求項２６】
通信システムにおける基地局の移動局との通信のための装置であって、
前記基地局から前記移動局へのディジタルデータの固定された所定の出力レベルの送信ごとの選択された符号化レート、データ量および変調フォーマットに関連する情報を含む通信を前記移動局から受信する受信機と、
前記移動局への送信のために前記選択された符号化レートと前記選択された変調フォーマットに従って前記選択されたデータ量を符号化し、変調する符号器であって、ここにおいて前記固定された所定の出力レベルの送信が非重複送信バーストを介したものであり、ここにおいて前記非重複送信バーストが事前定義された固定された持続期間の時間フレームにわたるものであり、ここにおいて前記固定された所定の出力レベルの送信ごとの前記選択された符号化レート、前記選択された変調フォーマットおよび前記選択されたデータ量の少なくとも１つが前記移動局の実効リンク予算に基づくものであり、前記リンク予算が前記固定された所定の出力レベルでの送信セットを示すパラメータを含む符号器と、
を備える装置。
【請求項２７】
前記基地局から前記移動局に、符号化され変調されたデータを、前記事前定義された固定された持続期間の時間フレームにわたって前記固定された所定の出力レベルの非重複送信バーストとして送信する送信機をさらに備える、請求項２６に記載の装置。
【請求項２８】
前記移動局のそれぞれの前記実効リンク予算は、前記基地局と前記移動局の間の実効送信パス損失で測定される実効距離に基づくものである、請求項２６に記載の装置。
【発明の詳細な説明】
背景技術
Ｉ．技術分野
本発明は、通信システムに関するものである。特に、本発明は、無線セルラー通信環境の高速データ通信を行う新規で改善された方法と装置に関するものである。
II．関連技術の記載
無線通信技術の進歩に伴い、無線環境においても高速データサービスの要求が急激に高まってきた。符号分割多元接続（ＣＤＭＡ）変調は、デジタルデータの送信に最も適したデジタル無線送信技術の一つである。デジタル無線送信の他の方法としては、時分割多元接続（ＴＤＭＡ）と周波数分割多元接続（ＦＤＭＡ）とがある。
しかしながら、ＣＤＭＡのスペクトル拡散変調技術は、他の変調技術に比べて非常に有利なものである。多元接続通信システムのＣＤＭＡ技術の使用は、この発明の譲渡人に譲渡されているＵＳパテントＮｏ．４，９０１，３０７の“衛星又はテレストリアル・リピータを使用するスペクトル拡散多元接続通信システム”に開示されている。多元接続通信システムへのＣＤＭＡ技術の使用は、更にＵＳパテントＮｏ．５，１０３，４５９の“ＣＤＭＡセルラー電話システムの信号波形の供給装置とこの方法”に更に開示されているものである。
ＣＤＭＡ変調を使用するデジタル無線通信は、電話信産業協会（ＴＩＡ）により、デュアル・モード・ワイド・バンド・スプレッド・スペクトラム携帯電話システムにおけるＴＩＡ／ＥＩＡ／ＩＳ−９５−Ａ  移動局・基地局コンパチビリティ標準（以後、ＩＳ−９５とする）により標準化されている。
現行の無線通信システムは、比較的低い通信レートでの通信を可能にするだけである。更にほとんどの現行無線通信システムは、デジタルデータの送信には最適化されておらず、むしろ音声情報の送信に最適化されている。従って、無線環境にてデジタルデータの高速送信する方法が望まれている。
発明の概要
本発明は、セルラー環境にてデジタルデータを送信するための新規な改善された装置及び方法である。本発明においては、セルラーシステムの隣接した複数のセルが、同時にデータ送信することを阻止されるものである。つまり、もしセルの境界の片側にある第１基地局が送信しているときは、次にセルの境界線のもう片側の第２基地局は、第１基地局の送信期間の間中、休止状態である。何故なら、隣接セルからの送信の雑音は干渉の主要な原因となるので、隣接セルからの雑音が削減できれば、出力制限された基地局の送信レートを劇的に増加させることができる。
本発明において、基地局からの全ての送信は固定された出力レベルで送信され、セル内の各加入者局への送信は、非重複バーストで行われる。このように基地局の送信中は、この送信はセル内で一つの加入者局に向けられ、これにより、加入者局が利用可能なデータレートを最大にするその加入者局にデータを送信するために、利用可能な全出力量を使用することが可能となる。
これを明確にするべく、二つの異なるしかし関連したレートが示される。一つは、ユーザ生成情報ビットのレートを指す情報レートである。二つ目は放送で送信されるビットのレートである送信レートである。
送信が固定された出力レベルで行われる際、基地局と加入者局との間で送信が可能な情報量は、従来知られているリンクの予算要素に伴って変化する。無線システムで最も重要なリンクの予算要素は、基地局と加入者局との間のパス(path)損失である。パス損失は、基地局と加入者局との間の距離に強く関連している。
本発明において、各加入者局への送信は固定された送信出力レベルで行われる。しかし、送信信号情報レートは、加入者局と基地局との距離に対応しているわけではない。第１実施形態においては、送信レートを一定に保ちながら、送信信号の符号化レートを選択することにより、加入者局への送信の情報レートが決定される。第２実施形態においては、加入者局への送信の送信レートを直接変える送信信号の変調フォーマットを選択することにより、加入者局への送信の情報レートを決定する。
【図面の簡単な説明】
本発明の特徴、目的、効果は、参照符号で関連づけられた図面と以下に示された詳細な説明から明らかになるものである。
図１は、地理的な領域の一般的なセル図面の例である。
図２は、基地局コントローラと、基地局と、加入者局との相互関係を示す図である。
図３は、本発明の代表的なタイミングダイアグラムとフレームフォーマットである。
図４は、本発明のセルのブロックダイアグラムである。
図５は、本発明の基地局のブロックダイアグラムである。
図６は、本発明の加入者局のブロックダイアグラムである。
図７は、セルを多くの狭いセクタに分割した例を示す図である。
良好な実施形態の詳細な説明
以下の記載において、同一の参照符号が基地局により供給されるセルまたは領域と基地局それ自身との記載に用いられる。本発明においては、二つの近接するセルは、同時に送信することを禁止されている。このように、図１において、基地局１が送信していれば、次に基地局２Ａ−２Ｆは送信が妨げられる。セルラー環境において送信中の基地局により経験される雑音（Ｎ0）は、以下の等式（１）により表される。
Ｎ0＝Ｎb＋Ｎm＋Ｎt＋Ｎr                  （１）
ここで、Ｎbが近接するセルの基地局からの雑音、Ｎmは、マルチパス反射からの干渉、Ｎtはシステム内の熱雑音、Ｎrは他の全ての雑音ソースをそれぞれ意味する。
雑音値（Ｎ0）は、出力制限された無線通信システムの送信可能な情報量を限定する。本発明は、二つの隣接セルの同時の送信を阻止することにより、隣接するセルからの雑音Ｎbを除去するものである。更に、基地局が一時に一つの加入者局だけに送信するので、利用可能な全てのエネルギをその一つの加入者局への送信に使用することが可能となる。全体の雑音（Ｎ0）を減衰し、与えられた加入者局への送信に利用可能な出力を増加することにより、加入者局への送信の利用可能な情報レートを非常に増加させることができる。
図２について、基地局コントローラ（ＢＳＣ）４は、地理的な領域内の多くの基地局の操作を制御している。本発明において、ＢＳＣ４は、基地局１、２Ａ−２Ｆ、３Ａ−３Ｆの送信を、隣接した２つのセルが同時に送信しないように調節するものである。本発明においては、ＢＳＣ４は、選択された基地局１，２Ａ−２Ｆ、３Ａ−３Ｌの選択された一つへ信号を送信し、その選択された基地局に所定の時間間隔中の送信を指示する。
好ましい実施形態として、セルは隣接しないセルのセットとしてグループ化され、このセット内のセルの任意のものは同時に送信することができる。例えば、第１の隣接しないセルのセットは、セル２Ａ、２Ｃ、２Ｅ、３Ｃ、３Ｋ、３Ｇで構成される。第２の隣接しないセルのセットは、セル２Ｂ、２Ｄ、２Ｆ、３Ａ、３Ｅ、３Ｉで構成される。この実施形態において、ＢＳＣ４は送信が可能な隣接しないセルのサブセットを選択し、その隣接しないセルのセット内の任意または全てのセルはそのフレームサイクルの間に送信可能である。
図３のタイミングチャートに関して、ＢＳＣ４は、基地局１に時間０において送信メッセージを送る。更に好ましくは、ＢＳＣ４は、基地局１を含む隣接していない基地局のセットの全ての基地局へメッセージを送る。そのメッセージに応答して、基地局１は０からＴまでの時間間隔中に送信する。時間Ｔにおいて、ＢＳＣ４は、時間Ｔと時間２Ｔとの間の時間間隔中に送信するように基地局２Ａに指示するメッセージを基地局２Ａへ送る。この工程は、図３に示される基地局２Ｂ−２Ｆの各基地局について繰り返される。時間７Ｔのとき、ＢＳＣ４は、時間７Ｔと８Ｔとの間の時間間隔中に送信する基地局１へメッセージを送る。
基地局２Ａ−２Ｆの一つが送信しているとき、２つの基地局が共通のセル境界線を分かち合わない限り、基地局２Ａ−２Ｆのサブセットが送信していることが可能である。例えば、基地局２Ａが送信しているとすれば、次にセル１，２Ｂ、３Ｆ、３Ｅ、３Ｄと、２Ｅは送信ができず、これはこれらがセル２Ａに隣り合っているからである。しかし、セル２Ｃ−２Ｆは、セル２Ａに隣り合っていないからこの期間中に送信が可能である。更に好ましくは、システムの基地局の送信を調整する管理の複雑さを軽減するべく、送信の時間間隔を同一のものとする。時間間隔の変更の使用を可能なものとして予見していることに注目して貰いたい。
更に好ましくは図３に示すように、セルの送信サイクルを単純で決定的なパターンとするものである。この簡単で決定的な送信サイクルによれば、各基地局は所定の時間にＢＳＣ４での制御無しに送信可能なため、基地局はＢＳＣ４の制御下での動作が必要なくなる。更に好ましくは、送信サイクルは、図３に示すような簡単で決定的なパターンで決定されなくとも良い。
この例において、ＢＳＣ４は、隣り合わない基地局のセット又は一つの基地局での送信のために待ち行列に入れられた(queqed)情報の量に従って、送信すべき該隣り合わない基地局のセット又は該一つの基地局を選択する。更に好ましくは、ＢＳＣ４は、隣接しない基地局のセット又は各基地局により維持されるキュー(queue)の中のメッセージの量をモニタし、キューのデータ量に基づいて送信を行うべき基地局を選択する。
各セルは複数の加入者局を含んでおり、その各々は、データがこのセルに供給する基地局によってそれらへ送信されることを必要としている。一般例として、基地局は、それがヘッダにより送信している加入者局の同一性を指定する。図３の第１時間間隔（時間０からＴ）において、基地局１は、選択された加入者局に送信する。一般には、各フレームは、持続期間が２ｍｓである。送信データは、選択された加入者局を確認するヘッダを与えられる。
他の例として、各セルは、狭いセクタに分割され、ここで各セクタは、セル内の他のセクタへの送信から独立して送信されることができる。これは、高い指向性のアンテナにより可能であり、その設計は従来知られている。図７は基地局５１０により供給されるセル６００を示し、それはセクタ５００Ａ−５００Ｏへ分割される。この例において、同様にセクタ化された通信システムの各セルは、ランダムセクタ又はその中のセクタのサブセットに送信する。隣接するセクタの同時送信が重なり合ってしまう可能性は、各セルが十分多くのセクタに分割されていれば、小さいだろう。
図３において、全ての順方向リンク送信は、同一のエネルギＥ0で与えられている、このエネルギは、一般に政府が許可する最大送信エネルギである。等式（２）は、固定された出力（Ｅ0）をもつ無線通信システムのパラメータの関係を示す一般リンク予算分析を示すものである。
Ｅ0＝Ｒ（ｂｉｔｓ／ｓ）（ｄＢ）＋（Ｅｂ／Ｎｏ）ｒｅｑ（ｄＢ）
＋Ｌs（ｄＢ）＋Ｌo（ｄＢ）                    （２）
ここで、Ｅ0は、基地局の固定された送信エネルギ、Ｒは、送信レート、（Ｅｂ／Ｎｏ）ｒｅｑは、与えられたエラーレートの要求される信号対雑音比、Ｌsは、デシベルでのパス損失、Ｌoは、デシベルでの他の損失をそれぞれ意味している。パス損失Ｌsは、基地局と加入者局との間の距離に非常に依存している。本発明では、送信レート、Ｒ、又は要求される信号対雑音比、（Ｅｂ／Ｎｏ）ｒｅｑは、基地局と加入者局との間の距離に基づいて変化する。
図４において、三つの加入者局６Ａ、６Ｂ、６Ｃは、セル境界線１０の中に設けられており、基地局１により供給される。加入者局６Ａ、６Ｂ、６Ｃへの距離は、それぞれｒ１，ｒ２，ｒ３である。他の実施形態として、実効距離が用いられ、この実効距離とは、基地局と加入者局との間のパス損失に従って選択される測定規準(metric)である。実効距離は、基地局と加入者局との間の物理的な距離に関連しているが、それと同じものではないことが当業者により認識されるであろう。実効距離とは、伝搬パスのコース(course)と物理的な距離との両方の作用を意味する。
式（２）に戻れば、パス損失（Ｌs）の差の影響は、（Ｅｂ／Ｎｏ）ｒｅｑの値を変えることで相殺して他の全てを一定に保つことができる。（Ｅｂ／Ｎｏ）ｒｅｑの値は、送信データを保護するために用いられるエラー検出および補正技術に依存している。符号化・レートは、符号器から出力された複数の二進法の記号の数と符号器に入力されるビット数との割合を指す。一般に、送信システムの符号化レートが高くなればなる程、送信されるデータへの保護は大きくなり、その信号の要求される信号対雑音比（Ｅｂ／Ｎｏ）ｒｅｑは低くなる。このように、本発明の第１の実施形態において、加入者局への送信の符号化レートは、加入者局と基地局との距離に基づいて選択される。通信システムは、帯域幅が制限されているので、使用される符号化レートが高くなると、システムの情報処理量（スループット）は低下してしまう。
式（２）において、パス損失（Ｌs）の差の影響は、送信レートＲの値を変えることで相殺することができる。送信レートＲは次式によって与えられる：
Ｒ＝Ｒs・ｌｏｇ2Ｍ                                （３）
ここで、Ｒsは、送信される記号の数であり、Ｍは変調配置での記号の数である。このように、加入者局と基地局との距離が大きいと、送信レートＲが減少する。本発明において、送信レートは変調フォーマットを、変調配置において記号数がもっと多い又はもっと少ないものに変更することによって変えられる。ところが、基地局と加入者局との距離が小さいとき、送信レートＲは増加する。第２実施形態において、変調フォーマットの選択により記号レートは設定される。情報レートは、コード化されていないユーザ情報の実際のビットが送信されるレートである。
物理的な距離と実効距離とが密接に関係しているとすると、基地局１は、加入者局６Ｂに送信するよりも低い情報レートで、加入者局６Ａへ送信することになり、これは、加入者局６Ａへの実効距離は、加入者局６Ｂへの実効距離よりも長いからである。
一般的な実施形態において、各加入者局は、その所在地を示すメッセージを、セルに供給する基地局へ送信する。代わりの実施形態として、加入者局の場所を推定するための通信局による従来知られた位置検出方法が用いられる。更に他の例として、基地局が基地局と加入者局との間のパス損失の測定に従って決定した実効距離を使用する。パス損失の測定は、知られている出力の信号を基地局から送信してその受信された出力を加入者局で測定することにより行われることができる。同様にパス損失の測定は、加入者局の既知の出力の信号を送信し基地局で既知の受信出力の測定することで可能である。基地局と加入者局との距離の関連は、測定したパス損失に基づいて物理的な距離と実効距離とにそれぞれ等しく対応する。
本発明において、最初にサービスセットアップ手順中に初期の符号化レートや変調フォーマットが選択され、与えられる。次に、距離が求められる。距離において十分な変更があれば、サービス中に、新しい符号化レート又は変調フォーマットが、新たな距離に従って選択される。
第１の実施形態に応じて、基地局は基地局と加入者局との間の距離に従って、符号化レートを選択する。基地局は、選択符号化レートの指示を受信している加入者局へ送信する。受信している加入者局は、選択された符号化レートに従って、選択された符号化レートでの使用に適した復号フォーマットを選択する。
第２の実施形態に応じて、基地局は、基地局と加入者局との間の距離に基づいて変調フォーマットを選択する。基地局は次に、選択された変調フォーマットの指示を受信中の加入者局に送信する。受信中の加入者局は、選択された変調フォーマットに従って変調された信号の受信に適合する復調器を、選択された変調フォーマットに従って設定する。
基地局１の一般的な実施形態のブロック図は、図５に示されている。一般的な加入者局６Ａのブロック図は、図６に示されている。
第１実施形態において、加入者局への送信のための符号化レートは、基地局と加入者局との間の距離に従って選択される。このように、情報レートは、複数の符号化レートの一つを選択することで固定されたままにされる送信レートＲにより変えられる。最初に、加入者局６Ａが基地局１に名称を登録する。この登録工程において、移動局６Ａは、その存在を基地局１に報知し、従来知られているように基本システムセットアップタスクを実行する。装置の登録の実施形態は、“移動通信装置の登録方法”のタイトルの、この出願の譲渡人に譲渡されているＵＳパテントＮｏ．５，２８９，５２７に詳細に記述されている。
代表的な実施形態として、加入者局６Ａの信号ジェネレータ２１８は、位置を示すメッセージを発生し、送信サブシステム２１６にこのメッセージを供給する。送信サブシステム２１６は、符号化し、変調し、アップコンバートし、メッセージを増幅し、アンテナ２００を通じた送信のためのデュプレクサを介してメッセージを供給する。位置メッセージはアンテナ１２０により受信され、受信機サブシステム１１８に供給される。受信機サブシステム１１８は、受信した位置メッセージを増幅しダウンコンバートし復調し復号して、これを送信コントローラ１０４に供給する。
本発明の実施形態として、移動局６Ａは、位置を表示するメッセージを、登録工程中に基地局１に送信する。更に実施形態において、加入者局６Ａはこれ自身の移動を追跡し、距離が少なくとも一定の量だけ変われば、加入者局６Ａはその新しい位置の指示を送信する。既に述べたように、加入者局の位置を決定する代わりの方法、又はパス損失の測定に基づく方法を用いることができる。一般的な実施形態として、位置情報が基地局１の送信コントローラ１０４に与えられ、それは基地局１と加入者局６Ａとの間の距離を計算する。
送信コントローラ１０４は、基地局１と加入者局６Ａとの間の距離に従って符号器レートを選択する。好ましい例として、基地局１と加入者局６Ａとの間の距離は、図４に示されるように離散値に量子化される。図４において、基地局１と円７Ａとの間に設けられた全ての加入者局は、第１符号化レートにて情報を受信する。円７Ａと円７Ｂとの間に位置する全ての加入者局は、第２符号化レートにて情報を受信する。円７Ｂと円７Ｃとの間に位置する全ての加入者局は、第３符号化レートにて情報を受信する。例えば図４において、基地局１に近い加入者局６Ｂに送信するとき、基地局１はレート１／２コードを使用する。しかしながら、基地局１から遠い加入者局６Ａに送信しているときは、基地局１はレート１／８コードを使用する。
もし加入者局と基地局との距離が非常に大きければ、より高い符号化レートのコードが選ばれる。ところが、基地局と加入者局との距離が短かった場合、低い符号化レートが選ばれる。加入者局６Ａに用いられるエラー補正と検出方法は、与えられたエラーレートに対して、より低い要求される信号対雑音比（ＥｂＮ０）ｒｅｑを許すだろう。符号化のレートが低くなると、訂正できるエラーが増え、要求される信号対雑音比（Ｅｂ／Ｎ０）ｒｅｑが減っていく。
第１実施形態において、送信コントローラ１０４は、上記したように符号化レートを選び、加入者局６Ａに選択されたレートの指示を送る。好ましくは、符号化レートを示したメッセージが、登録工程中に、ページングチャンネルを通じて送信される。ページングチャンネルは、基地局から加入者局への短いメッセージを送るための無線通信システムに用いられる。好ましくは、無線通信システムは、基地局１に、トラヒックチャネルで送信される次のメッセージにより符号化レートを変更する。符号化レートを変える一つの理由は、加入者局６Ａの位置の変更を可能にできることである。
実施形態において、選択符号化レートを示すメッセージが送信コントローラ１０４により、そのメッセージを符号化する符号器１０６に与えられる。符号器１０６からの符号化された記号は、インタリーバ１０８に供給され、インタリーバは、所定の再構成(reordering)フォーマットに従って記号を再構成するものである。実施形態において、インターリーブした記号が、インターリーブした信号を、ＵＳパテントＮｏ．４，９０１，３０７やＮｏ．５，１０３，４５９に開示されたＣＤＭＡ拡散フォーマットに従ってスクランブルするスクランブラ１１０に供給される。
スピスクランブルドレッド（spscrambledread）信号は、所定の変調フォーマットに従って変調する変調器１１２に供給される。実施形態において、ページングチャネルのための変調フォーマットは、直交位相シフトキー（quadrature phase shift keyed）（ＱＰＳＫ）変調である。変調された信号は、信号をアップコンバートし増幅しアンテナ１１６から送信する送信機１１４に供給される。
符号化レートを指示する送信されたメッセージは、アンテナ２００で受信され、受信機（ＲＣＶＲ）２０２に供給される。受信機２０２では、この受信信号をダウンコンバートし増幅して、復調器２０４に供給する。復調器２０４は、受信信号を復調する。実施形態において、ページングチャンネルのための復調フォーマットは、ＱＰＳＫ復調フォーマットである。実施形態において、復調された信号はイコライザ(equalizer)２０５に供給される。イコライザ２０５は、例えばマルチパスの影響などの伝搬環境の影響を減少させるチャンネル・イコライザである。チャネルイコライザは、従来から知られているものである。チャネルイコライザの原理と実施形態は、本発明の譲渡人に譲渡されているＵＳパテントＮｏ．０８／５０９，７２２の“適用性のあるデスプレッド（despread）”に記載されている。
イコライズされた信号は、前述したＵＳパテントＮｏ．４，９０１，３０７とＮｏ．５，１０３，４５９に記載されたＣＤＭＡ逆拡散(despreading)のフォーマットに従って信号をデスクランブル（スクランブルされた信号を復元する）デスクランブラ２０６に供給される。逆拡散記号は、デインタリーバ２０８に供給され、所定のデインタリーブフォーマットに従って再構成される。再構成された記号は、選択された符号化レートを示すメッセージを復号し、復号されたメッセージを制御プロセッサ２１２に供給する復号器２１０に供給される。
復号されたメッセージに応じて、制御プロセッサ２１２は、高速データ送信に用いる復号フォーマットを指示する信号を復号器２１０に供給する。この実施形態で、復号器２１０は、各復号フォーマットが対応する異なる符号化フォーマットに対応する複数のトレリス（trellis）復号フォーマットに従って、受信信号を復号することができる。
図５に戻って、セル１中の加入者局（加入者局６Ａ、６Ｂ、６Ｃ）に送信されるべきデータがキュー１００に供給される。データは、それが送信されるべき加入者局に従ってキュー１００に格納される。加入者局６Ａへのデータは、メモリ１０２Ａに保存され、加入者局６Ｂのデータはメモリ１０２Ｂに格納され、加入者局６Ｃのデータは、メモリ１０２Ｃに格納され、以下同様となる。異なるメモリ素子（１０２Ａ−１０２Ｎ）は、単に図示された目的のためのものであり、キューは一般的な一つのメモリデバイスからなり、単に図示された分離したメモリデバイスは、そのデバイス中のメモリロケーションを指す。
図３において、第１の時間間隔（ｔ＝０）では、ＢＳＣ４は、送信を基地局に指示するメッセージを送信コントローラ１０４に送る。これに応じて、送信コントローラ１０４は、データがキュー内に位置している時間期間とそのカバレージエリア内にある受信している加入者局を選択する。実施形態において、受信している加入者局の選択は、カバレージエリア内の加入者局への送信のために待ち行列に入れられたデータの量に基づくものである。送信コントローラ１０４は、受信している加入者局のその選択に基づきメモリ素子１０２Ａ−１０２Ｎの一つに信号を選択的に供給する。更に、選択された受信している加入者局に従って、送信コントローラ１０４は、選択された加入者局への送信に用いられる符号化レートを示す信号を符号器１０６へ供給する。
送信コントローラ１０４は、受信している加入者局を特定するヘッダメッセージを符号器１０６に供給する。例示的な実施形態において、符号器１０６は、全ての加入者局への送信のためのヘッダを符号化するために使用される符号化フォーマットを使用してヘッダメッセージを符号化する。更に好ましくは、ヘッダ情報を、データの残りから分離して符号化することにより、加入者局は、それがその加入者局のためのものでないのなら、送信間隔中に送信される大量のデータを復号する必要がなくなる。
送信コントローラ１０４は、次に、メモリ素子１０２Ａに信号を供給することで、それにデータの供給を指示し、受信している加入者局６Ａへ所定の時間間隔中に送信することができるデータの最大値を特定する。所定の最大値とは、以下の式（４）に示すように固定された送信レートＲで選択された符号化レート（Ｒenc）によって時間間隔Ｔ内に加入者局６Ａへ送信できる最大の情報量を意味する。
ＭａｘＤａｔａ＝（Ｒ・Ｔ）／Ｒenc                        （４）
送信コントローラ１０４からの信号に応じて、メモリ素子１０２Ａは、符号器１０６へのＭａｘＤａｔａに少ないか同じの量のデータを供給する。
符号器１０６は、選択された符号化フォーマットを用いてデータを符号化し、データの符号化された記号とヘッダメッセージの符号化された記号とを結合させる。実施形態において、符号器１０６は、複数の畳込み符号化レートによりデータの符号化を行う。例えば、符号器１０６は、レート１／２，１／３，１／４，１／５畳込み符号化フォーマットを用いてデータの符号化を行う。符号化レートは、データパンクチャリング(puncturing)と符号器の一般的な使用とのコンビネーションによって、本質的に任意のレートに変更されることができる。符号器１０６は、インタリーバ１０８に符号化された記号を供給する。
インタリーバ１０８は、所定の再構成フォーマットに従って記号を再構成し、再構成した記号をスクランブラ１１０に供給する。スクランブラはこの記号を所定のＣＤＭＡ拡散フォーマットに従ってスクランブルし、この拡散した記号を変調器１１２に供給する。一つの加入者局６Ａだけが信号を送信されているので、スクランブラ１１０の使用は、多元接続通信の目的ではなく、セキュリティ目的のデータスクランブルするためのものであり、狭いバンド雑音への免疫性(immunity)を高めるものであることに注目されたい。
変調器１１２は、所定の変調フォーマットに従って拡散された記号を変調する。実施形態において、変調器１１２は、１６のＱＡＭ変調器である。変調器１１２は、変調した記号を送信機（ＴＭＴＲ）１１４に供給する。送信機１１４は、信号をアップコンバートし、そして増幅し、アンテナ１１６を介して送信する。
送信された信号は、加入者局６Ａでアンテナ２００により受信される。受信信号は、受信機（ＲＣＶＲ）２０２に供給される。受信機２０２は、受信信号をダウンコンバートし増幅する。受信信号は、所定復調フォーマットに従って信号を復調する復調器２０４に供給される。復調された信号は、上述されたチャンネルイコライザであるイコライザ２０５に供給される。チャンネルイコライズされた信号は、上述した所定のＣＤＭＡ逆拡散フォーマットに従って信号をデスクランブルするデスクランブラ２０６に供給される。デインタリーバ２０８は、逆拡散された記号を再構成し、復号器２１０に供給する。
実施形態において、復号器２１０は、最初に、再構成された記号内に含まれるヘッダメッセージを復号する。ヘッダメッセージは、送信されている情報が加入者局６Ａへ意図されたものであることを確認するヘッダチェック手段２１４に供給される。もしデータが加入者局６Ａへ意図されたものなら、次に、データの残りが復号される。ヘッダが、データが加入者局６Ａのユーザを意図していることを示しているなら、ヘッダチェック２１４は、残った情報を復号すべきであることを指示する信号を復号器２１０に供給する。他の実施形態として、全ての情報は復号され、復号工程の後にヘッダがチェックされるものであってもよい。
復号器２１０は、制御プロセッサ２１２からの選択された復号フォーマットに従って記号を復号する。例示的な実施形態において、復号器２１０は、再構成された記号を、選択された符号化レートに基づいて選択された複数のトレリス復号フォーマットの一つに従って復号する。復号された記号は次に加入者局６Ａのユーザに供給される。
第２実施形態において、送信コントローラ１０４は、基地局と移動局との間の距離に従って変調フォーマットを選択する。基地局１は、加入者局へ選択された変調フォーマットの指示を送信する。変調フォーマットは直接、送信レートＲに影響を及ぼす。式（２）において、パス損失Ｌsと送信レートＲ以外の全てのパラメータが、この場合に決定される。高い送信レート（Ｒ）が、変調記号のさらに大きいセットを含む変調フォーマットを使用して送信される。例えば、２８の直交振幅変調（ＱＡＭ）が、基地局に近い加入者局への送信に使用することができる。ところが、１６のＱＡＭ変調は、基地局から更に遠い加入者局への送信に使用される。
実施形態において、加入者局６Ａは、基地局１へその場所を示すメッセージを送信する。これに応じて、基地局１は、変調フォーマットを選択する。先の実施形態に関して上述したように、送信コントローラ１０４により計算された距離は、量子化された。変調フォーマットは、量子化された距離に従って選択される。図４に応じて、基地局１と円７Ａとの間に位置する全ての加入者局は、第１変調フォーマットを用いて情報を受信する。円７Ａと円７Ｂとの間に位置する全ての加入者局は、第２変調フォーマットを用いて情報を受信する。円７Ｂと円７Ｃとの間に位置する全ての加入者局は、第３変調フォーマットを用いて情報を受信する。例えば図４において、基地局１は、基地局１に近い加入者局６Ｂに送信するとき、ＱＰＳＫ変調フォーマットを使用する。反対に、基地局１は、基地局１から遠い加入者局６Ａに送信するときに、６４の直交振幅変調（ＱＡＭ）を用いる。実施形態において、登録工程中に、選択された変調フォーマットを示すメッセージがページングチャンネルを通じて送信される。再び、良好な実施形態において、通信システムが、基地局１に対して、ページングチャンネル上で送信される次のメッセージにより変調フォーマットを変更させる。
変調フォーマットを示す送信された信号は、上述された加入者局６Ａにより受信され、制御プロセッサ２１２に供給される。制御プロセッサ２１２は、使用される復調フォーマットを示す信号を復調器２０４に供給する。復調器２０４は、第２の実施形態において、複数の復調フォーマットに従って受信した信号を復調することができる。制御プロセッサ２１２からの信号に応じて、適当な復調フォーマットが選択される。
図５に戻って、セル１内の加入者局（加入者局６Ａ、６Ｂ、６Ｃ）に送信される信号は、キュー１００に供給される。初めの時間間隔（ｔ＝０）において、ＢＳＣ４は、基地局１に送信を指示するメッセージを送信コントローラ１０４に送る。信号に応じて、送信コントローラ１０４は、上記した受信加入者局を選択する。送信コントローラ１０４は、加入者局のその選択に基づいてメモリ素子１０２Ａ−１０２Ｎのうちの一つに一つの信号を選択的に供給する。更に、加入者局の選択に従って、送信コントローラは、選択された変調フォーマットを示す信号を変調器１１２へ供給する。
送信コントローラ１０４は、データが送られている加入者局を特定するヘッダメッセージを符号器１０６へ供給する。符号器１０６は、上述のようにヘッダメッセージを符号化する。送信コントローラ１０４は、次にメモリ素子１０２Ａに対して、データを供給するようそれに指示し、および受信している加入者局６Ａへ所定の時間間隔中に送信できるデータの最大量を特定する信号を供給する。所定の最大値は、式（４）に示すように選択されたレートにて所定時間間隔内に加入者局６Ａへ送信できる情報の最大量を意味している。
ＭａｘＤａｔａ＝Ｍ・Ｒs・Ｔ                            （５）
ここで、Ｍは、選択された変調フォーマットで使用された変調記号の数であり、Ｒsは、記号レートである。送信コントローラ１０４からの信号に応じて、メモリ素子１０２Ａは、ＭａｘＤａｔａと同じかそれ以下のデータ量を符号器１０６へ供給する。
第２実施形態において、符号器１０６は、固定された符号化レートでデータを符号化し、ヘッダメッセージの符号化された記号とデータの符号化された記号とを結合する。符号器１０６は、インタリーバ１０８へ符号化された記号を供給する。インタリーバ１０８は、所定の再構成フォーマットに従って記号を再構成し、スクランブラ１１０に再構成記号を供給する。スクランブラ１１０は、所定のＣＤＭＡ拡散フォーマットに従って記号をスクランブルし、スクランブルした記号を変調器１１２へ供給する。
変調器１１２は、スクランブルした記号を選択した変調フォーマットに従って変調する。実施形態において、変調器１１２は、スクランブルした記号を、複数の変調フォーマットに従って変調記号へとマッピングする。変調器１１２は、変調した記号を送信機（ＴＭＴＲ）１１４に供給する。送信機１１４は、信号をアップコンバートし増幅しアンテナ１１６を介して送信する。
送信信号は、加入者局６Ａによりアンテナ２００で受信される。受信信号は、受信機（ＲＣＶＲ）２０２に供給される。受信機２０２は、受信信号をダウンコンバートし増幅する。受信信号は、選択された復調フォーマットに従って信号を復調する復調器２０４に供給される。復調信号は、上述したように受信信号をチャネルイコライズするイコライザ２０５へ供給される。イコライズされた信号は、所定のＣＤＭＡ逆拡散フォーマットに従って信号をデスクランブルするデスクランブラ２０６に供給される。デインタリーバ２０８は、デスクランブル信号を再構成し、これらを復号器２１０に供給する。
更に好ましくは、復号器２１０は、最初、再構成された記号に含まれるヘッダメッセージを復号する。ヘッダメッセージは、送信されている情報が加入者局６Ａを意図したものかを確認するヘッダチェック手段２１４へ供給される。もしデータが加入者局６Ａを意図したものなら、データの残りが復号される。データが加入者局６Ａのユーザを意図したものであることをヘッダが示したら、ヘッダチェック２１４が、残りの情報を復号すべきであることを示す信号を復号器２１０へ送信する。他の実施形態として、全ての情報は復号され、復号工程が完了した後に、ヘッダがチェックされるものであってもよい。復号器２１０は、記号を復号する。復号された記号は、次に加入者局６Ａのユーザに供給される。
更に、符号化レートの変更と、変調フォーマットの変更の技術の使用とを同時に行うシステムが考えられることに注目されたい。
良好な実施形態の前述した記載は、本発明を使用しようとする当業者に与えられるものである。これらの実施形態の様々な変形例は、当業者であればこれが可能であり、包括的な原理が他の実施形態の対して特別な能力を要することなく可能となる。従って、本発明は上述した実施形態に限るものではなく、上述した原理と新規な特徴に矛盾することのない広い範囲に及ぶものである。
【図１】
0004130476.tif 000002
【図２】
0004130476.tif 000003
【図３】
0004130476.tif 000004
【図４】
0004130476.tif 000005
【図５】
0004130476.tif 000006
【図６】
0004130476.tif 000007
【図７】
0004130476.tif 000008